(57)【特許請求の範囲】
【請求項１】
内容物が入れられた袋と、この袋が挿入される容器本体と、上記容器本体の開口部に嵌め込まれる際に上記袋の開封口を拡開する拡開部材と、上記容器本体の開口部を開閉する開閉蓋とを具備する詰替容器において、上記拡開部材は、上記容器本体の開口部と嵌合する略四角形の枠状の嵌合部と、この嵌合部における一対の対向辺側を支点にして下方向に回動可能に嵌合部にヒンジで結合された一対の翼片とを具備し、上記嵌合部が上記開口部と嵌合せしめられた際に、上記一対の翼片が容器本体内に収納された袋の開封口に対向し、この一対の翼片が開封口から袋内に押し下げられることにより開封口が整った形状に拡開されるようにしたことを特徴とする詰替容器。
【請求項２】
請求項１に記載の詰替容器において、上記一対の翼片が開封口から袋内に押し下げられることにより開封口が整った形状に拡開した際に、上記一対の翼片を定位置に固定するロック部が設けられたことを特徴とする詰替容器。
【請求項３】
請求項１、又は請求項２に記載の詰替容器において、上記嵌合部の他の一対の対向辺には、袋の開封口の縁を覆い得る庇片が設けられたことを特徴とする詰替容器。
【請求項４】
請求項１乃至請求項３のいずれか一項に記載の詰替容器において、上記開閉蓋は上記拡開部材の嵌合部の上から上記容器本体の開口部に嵌合する嵌合部を有することを特徴とする詰替容器。
【請求項５】
請求項１乃至請求項４のいずれか一項に記載の詰替容器において、上記拡開部材の嵌合部の内周側に、計量具を載置可能な平坦部が設けられたことを特徴とする詰替容器。
【請求項６】
請求項１乃至請求項５のいずれか一項に記載の詰替容器において、上記拡開部材の嵌合部の内周側には、計量具で掬った内容物を摺り切る摺り切りが架け渡されたことを特徴とする詰替容器。
【請求項７】
容器本体の開口部と嵌合する略四角形の枠状の嵌合部と、この嵌合部における一対の対向辺側を支点にして下方向に回動可能に嵌合部にヒンジで結合された一対の翼片とを具備し、上記嵌合部が上記開口部と嵌合せしめられた際に、上記一対の翼片が容器本体内に収納された袋の開封口に対向し、この一対の翼片が開封口から袋内に押し下げられることにより開封口が整った形状に拡開されるようにしたことを特徴とする袋開封口拡開具。
【請求項８】
内容物が入れられた袋と、この袋が挿入される容器本体と、上記容器本体の開口部に嵌め込まれる際に上記袋の開封口を拡開する拡開部材と、上記容器本体の開口部を開閉する開閉蓋とを具備する詰替容器セットにおいて、上記拡開部材は、上記容器本体の開口部と嵌合する略四角形の枠状の嵌合部と、この嵌合部における一対の対向辺側を支点にして下方向に回動可能に嵌合部にヒンジで結合された一対の翼片とを具備し、上記嵌合部が上記開口部と嵌合せしめられた際に、上記一対の翼片が容器本体内に収納された袋の開封口に対向し、この一対の翼片が開封口から袋内に押し下げられることにより開封口が整った形状に拡開されるようにしたことを特徴とする詰替容器セット。
【発明の詳細な説明】
【技術分野】
【０００１】
本発明は、粉ミルク等の内容物を入れた袋を開封して袋ごと詰め替えることができる詰替容器、及び開封した袋を詰替容器の容器本体内に収納する際に袋の開封口を円滑かつ正確に拡開して容器本体内にセットすることができる拡開具並びに詰替容器セットに関する。
【背景技術】
【０００２】
従来、粉ミルク等の内容物は缶に充填され密封された包装体として流通市場に供給されている。缶には開閉蓋付き蓋体が付属しており、缶を開封した後にこの開閉蓋付き蓋体を缶に被せ、開閉蓋を開閉すれば、缶内の内容物を小出しに取り出すことが可能である（例えば、特許文献１参照）。
【０００３】
また、ふりかけ等を収納する容器には、ふりかけ等を収納した袋を開封した後に袋ごと容器本体内に収納し、容器本体の開口部を開閉蓋付き蓋体で覆うようにしたものがある。この容器は、開閉蓋付き蓋体と容器本体との嵌合部に袋の開封口の縁を押し込むことで、容器から中身を振り出す際に、容器本体内への中味の落下を防止するようになっている（例えば、特許文献２参照。）。
【先行技術文献】
【特許文献】
【０００４】
【特許文献１】特許第４２１９２０５号公報
【特許文献２】実用新案登録第２５５４８２２号公報
【発明の概要】
【発明が解決しようとする課題】
【０００５】
上記従来技術のうち前者は使い捨ての包装体であるから、中味を消費した後の缶の処分が面倒であるという問題がある。
【０００６】
後者の包装体は金属以外のプラスチック、紙等で作ることができるので、中味を消費した後の容器本体、袋等の処分は容易である。また、空の袋を中味の入った新しいものと交換することで容器本体、開閉蓋付き蓋体は再使用することができる。  しかし、後者の包装体は、柔らかい袋の開封口の全周縁を指で拡げてその拡げた状態を保持しながら、容器本体側の開口縁を袋の開封口の全周縁と共に開閉蓋付き蓋体側の環状溝内に押し込まなければならず、そのため袋を容器本体内に装着したり、袋を新しいものと交換したりする際の操作が極めて面倒である。また、袋を容器本体内に装着する際に、袋開封口の周縁の一部が容器本体の内側に取り残されたりすることがあり、その場合は取り残された箇所から中味が袋と容器本体との間に入り込むという不具合が生じる。さらに、袋を容器本体内に装着する際に、指で袋の開封口を支える必要があり、その指が袋内に侵入して内容物に接触するので不衛生であるという問題がある。
【０００７】
したがって、本発明は、上記問題点を解決することができる詰替容器、袋開封口拡開具及び詰替容器セットを提供することを目的とする。
【課題を解決するための手段】
【０００８】
上記課題を解決するため、本発明は次のような構成を採用する。
【０００９】
なお、本発明の理解を容易にするため図面の参照符号を付するが、本発明はこれに限定されるものでない。
【００１０】
すなわち、請求項１に係る発明は、内容物（ａ）が入れられた袋（１）と、この袋（１）が挿入される容器本体（２）と、上記容器本体（２）の開口部に嵌め込まれる際に上記袋（１）の開封口（１ｅ）を拡開する拡開部材（３）と、上記容器本体（２）の開口部を開閉する開閉蓋（４）とを具備する詰替容器において、上記拡開部材（３）は、上記容器本体（２）の開口部と嵌合する略四角形の枠状の嵌合部（８）と、この嵌合部（８）における一対の対向辺側を支点にして下方向に回動可能に嵌合部にヒンジ（２１）で結合された一対の翼片（２２）とを具備し、上記嵌合部（８）が上記開口部と嵌合せしめられた際に、上記一対の翼片（２２）が容器本体（２）内に収納された袋（１）の開封口（１ｅ）に対向し、この一対の翼片（２２）が開封口（１ｅ）から袋（１）内に押し下げられることにより開封口（１ｅ）が整った形状に拡開されるようにした詰替容器を採用する。
【００１１】
なお、上記内容物（ａ）は乳製品とすることができる。乳製品には、「乳及び乳製品の成分規格等に関する省令（乳等省令）：昭和２６年１２月２７日厚生省令第５２号」における「乳」、「乳製品」及び「乳又は乳製品を主原料とする食品」が含まれ、具体的には、乳、加工乳、乳飲料、はっ酵乳、アイスクリーム、アイスミルク、ラクトアイス、チーズ、調製粉乳、全脂粉乳、脱脂粉乳、練乳等が挙げられ、この容器はいずれの乳製品も包装可能である。
【００１２】
ただし、本発明は、容器が開封された後に長期にわたり喫食される乳製品に好適であり、かかる乳製品としては粉末形状の乳製品、即ち粉乳が好ましく、本発明の効果を最大限に享受することができる。
【００１３】
なお、粉乳とは、調製粉乳、全脂粉乳、脱脂粉乳等の他、粉末クリーム、インスタントクリーミーパウダー、ホエイパウダー、バターミルクパウダー、加糖粉乳等も含まれる。
【００１４】
請求項２に記載されるように、請求項１に記載の詰替容器において、上記一対の翼片（２２）が開封口（１ｅ）から袋（１）内に押し下げられることにより開封口（１ｅ）が整った形状に拡開せしめられた際に、上記一対の翼片（２２）を定位置に固定するロック部（１５，１６）が設けられたものとすることができる。
【００１５】
請求項３に記載されるように、請求項１、又は請求項２に記載の詰替容器において、上記嵌合部（８）の他の一対の対向辺には、袋（１）の開封口（１ｅ）内に入り込み得る庇片（１７）が設けられたものとすることができる。
【００１６】
請求項４に記載されるように、請求項１乃至請求項３のいずれか一項に記載の詰替容器において、上記開閉蓋（４）は上記拡開部材（３）の嵌合部（８）の上から上記容器本体（２）の開口部に嵌合する嵌合部（９）を有するものとすることができる。
【００１７】
請求項５に記載されるように、請求項１乃至請求項４のいずれか一項に記載の詰替容器において、上記拡開部材（３）の嵌合部（８）の内周側に、計量具（１８）を載置可能な平坦部（１３）が設けられたものとすることができる。
【００１８】
請求項６に記載されるように、請求項１乃至請求項５のいずれか一項に記載の詰替容器において、上記拡開部材（３）の嵌合部（８）の内周側には、計量具（１８）で掬った内容物（ａ）を摺り切る摺り切り（１９）が架け渡されたものとすることができる。
【００１９】
また、請求項７に係る発明は、容器本体（２）の開口部と嵌合する略四角形の枠状の嵌合部（８）と、この嵌合部（８）における一対の対向辺側を支点にして下方向に回動可能に嵌合部（８）にヒンジ（２１）で結合された一対の翼片（２２）とを具備し、上記嵌合部（８）が上記開口部と嵌合せしめられた際に、上記一対の翼片（２２）が容器本体（２）内に収納された袋（１）の開封口（１ｅ）に対向し、この一対の翼片（２２）が開封口（１ｅ）から袋（１）内に押し下げられることにより開封口（１ｅ）が整った形状に拡開されるようにした袋開封口拡開具を採用する。
【００２０】
また、請求項８に係る発明は、内容物が入れられた袋と、この袋が挿入される容器本体と、上記容器本体の開口部に嵌め込まれる際に上記袋の開封口を拡開する拡開部材と、上記容器本体の開口部を開閉する開閉蓋とを具備する詰替容器セットにおいて、上記拡開部材は、上記容器本体の開口部と嵌合する略四角形の枠状の嵌合部と、この嵌合部における一対の対向辺側を支点にして下方向に回動可能に嵌合部にヒンジで結合された一対の翼片とを具備し、上記嵌合部が上記開口部と嵌合せしめられた際に、上記一対の翼片が容器本体内に収納された袋の開封口に対向し、この一対の翼片が開封口から袋内に押し下げられることにより開封口が整った形状に拡開されるようにした詰替容器セットを採用する。
【発明の効果】
【００２１】
本発明によれば、内容物（ａ）が入れられた袋（１）と、この袋（１）が挿入される容器本体（２）と、上記容器本体（２）の開口部に嵌め込まれる際に上記袋（１）の開封口（１ｅ）を拡開する拡開部材（３）と、上記容器本体（２）の開口部を開閉する開閉蓋（４）とを具備する詰替容器において、上記拡開部材（３）は、上記容器本体（２）の開口部と嵌合する四角形の枠状の嵌合部（８）と、この嵌合部（８）における一対の対向辺側を支点にして下方向に回動可能に嵌合部にヒンジ（２１）で結合された一対の翼片（２２）とを具備し、上記嵌合部（８）が上記開口部と嵌合せしめられた際に、上記一対の翼片（２２）が容器本体（２）内に収納された袋（１）の開封口（１ｅ）に対向し、この一対の翼片（２２）が開封口（１ｅ）から袋（１）内に押し下げられることにより開封口（１ｅ）が整った形状に拡開されるようにした詰替容器であるから、詰替え用の開封された袋（１）の開封口（１ｅ）は容器本体（２）の開口部内で半開き状態となる。そこで、操作者が拡開部材（３）の嵌合部（８）を容器本体（２）の開口部に嵌合させると、一対の翼片（２２）が袋（１）の開封口（１ｅ）に対向する。さらに、操作者が一対の翼片（２２）を袋（１）内に押し込むようにすると、一対の翼片（２２）がそれぞれヒンジ（２１）を支点にして下方に回動し、袋（１）の開封口（１ｅ）を整った形状に拡開し保持することになる。従って、袋（１）の開封口（１ｅ）はその全周縁が簡易かつ迅速に容器本体（２）の開口部内で整った形状に拡げられることとなり、新しい詰替え用の袋（１）を開封して容器本体（２）内に装着したり、内容物（ａ）が消費された袋（１）を新しいものと交換したりする際の操作が簡易化される。
【図面の簡単な説明】
【００２２】
【図１】本発明に係る詰替容器の平面図である。
【図２】図１中、ＩＩ−ＩＩ線矢視断面図である。
【図３】図１中、ＩＩＩ−ＩＩＩ線矢視断面図である。
【図４】詰替容器のヒンジ部の部分切欠図である。
【図５】容器本体の平面図である。
【図６】図５中、ＶＩ−ＶＩ線矢視断面図である。
【図７】図５中、ＶＩＩ−ＶＩＩ線矢視断面図である。
【図８】開閉蓋の平面図である。
【図９】図８中、ＩＸ−ＩＸ線矢視断面図である。
【図１０】図８中、Ｘ−Ｘ線矢視断面図である。
【図１１】拡開部材を斜め上から見た斜視図である。
【図１２】拡開部材を斜め下から見た斜視図である。
【図１３】拡開部材の平面図である。
【図１４】図１３中、ＸＩＶ−ＸＩＶ線矢視断面図である。
【図１５】図１３中、ＸＶ−ＸＶ線矢視断面図である。
【図１６】拡開部材により袋の開封口を拡開した状態で示す縦断面図である。
【図１７】詰替え用の袋を示し、（Ａ）は未開封状態で示す斜視図、（Ｂ）は開封状態で示す斜視図である。
【発明を実施するための形態】
【００２３】
以下、本発明の望ましい形態について図面に基づいて説明する。
【００２４】
図１乃至図３に示すように、この詰替容器は、内容物ａが入れられた詰替え用袋１と、この袋１が挿入される容器本体２と、容器本体２の開口部に嵌め込まれる際に袋１の開封口１ｅを拡開する拡開部材３と、容器本体２の開口部を開閉する開閉蓋４とを具備する。
【００２５】
上記詰替え用の袋１は、詰替前は内容物ａを収納したうえで、図１７（Ａ）に示すように密封されている。図１７（Ａ）中、符号１ａはヒートシール等による封緘部を示し、符号１ｂは切り取り予定線を示す。内容物は、例えば乳製品である粉ミルク等である。
【００２６】
この袋１は、詰替に際して切り取り予定線１ｂ上で封緘部１ａが切除されることにより開封される。図１７（Ｂ）に示すように、袋１には開封によって多角形の開封口１ｅが半開き状態で形成される。この実施の形態における袋１は具体的にはガセット袋であることから、開封口１ｅには外向きノッチ部１ｃと内向きノッチ部１ｄとが生じている。
【００２７】
ここで、外向きノッチ部とは、ガセット袋を構成するシートの折り目が開封口１ｅの外側にＶ字形に突出した部分をいい、内向きノッチ部とは、ガセット袋を構成するシートの折り目が開封口１ｅの内側にＶ字形に突出した部分をいう。
【００２８】
この開封された袋１は、図１７（Ｂ）に示す開封状態で容器本体２内に収納される。あるいは容器本体２内に収納された後に、図１７（Ｂ）に示す開封状態とされる。
【００２９】
なお、詰替え用袋１は図示例ではガセット袋であるが、自立性袋等他の形態の袋であってもよい。
【００３０】
容器本体２は、図５乃至図７に示すように、前後壁２ａ，２ｂと左右壁２ｃ，２ｄと底壁２ｅとを具備した全体として略直方体の箱に形成される。図２及び図３に示すように、この箱の開口部から上記開封された袋１又は未開封の袋１が収納可能である。
【００３１】
容器本体２の開口部の外周には、上から下へと嵌合突起５、上リブ６、下リブ７が順に設けられる。図２及び図３に示すように、嵌合突起５は、拡開部材３の嵌合部８が容器本体２の開口部に被さったときに、この嵌合部８の嵌合突起８ａと嵌合可能である。図２に示すように、上リブ６には拡開部材３の嵌合部８の下縁が当接可能であり、下リブ７には開閉蓋４の嵌合部９の下縁が当接可能である。
【００３２】
また、容器本体２の後壁２ｂには、一対のヒンジを構成するためのブラケット１０が設けられる。図１、図３及び図４に示すように、このブラケット１０に開閉蓋４のヒンジ軸１１が連結可能である。このブラケット１０とヒンジ軸１１からなるヒンジは薄肉で連結し、容器本体２及び開閉蓋４と一体的に形成することも可能である。また、ヒンジは拡開部材３と開閉蓋４との間に設けることも可能である。
【００３３】
開閉蓋４は、図８乃至図１０に示すように、天板１２と、天板１２の周りに配置される内外二重の周壁９ａ，９ｂよりなる嵌合部９とを具備する。
【００３４】
図１乃至図３に示すように、この開閉蓋４の嵌合部９が、拡開部材３の嵌合部８の上から容器本体２の開口部に嵌合する。すなわち、開閉蓋４で容器本体２の開口部を閉じたとき、容器本体２の開口部に嵌合した拡開部材３の嵌合部８が内外二重の周壁９ａ，９ｂ間に侵入し、これにより容器本体２と拡開部材３と開閉蓋４の三者が合体する。
【００３５】
また、図９及び図１０に示すように、天板１２に凹部４ａが形成される。袋１の詰替等にあたり、図４のごとく開閉蓋４を開けた際に、この凹部４ａ内に拡開部材３を入れ、開閉蓋４の嵌合部９に拡開部材３の嵌合部８を嵌合させることで、開閉部材３を開閉蓋４で一時的に保持することが可能である。
【００３６】
拡開部材３は、図１１乃至図１５に示すように、容器本体２と開閉蓋４とは別体の袋開封口拡開具として形成される。
【００３７】
拡開部材３は、容器本体２の開口部に合致しうる輪郭を有し、その輪郭に沿うように上記容器本体２の開口部と嵌合する略四角形の枠状の嵌合部８を備える。図１乃至図３に示すように、この嵌合部８が容器本体２の開口部に被さり、また、この嵌合部８の上から開閉蓋４の嵌合部９が被せられることで、この拡開部材３が容器本体２及び開閉蓋４と一体化される。
【００３８】
嵌合部８の一対の対向辺の内周側には、各々ヒンジ２１を介して翼片２２が連結される。
【００３９】
図１１乃至図１３に示すように、一対の翼片２２は相対向する方向にやや先細りに形成され、各々の両側縁には案内片２２ａが設けられる。そして、図１４に示すように、翼片２２は各ヒンジ２１からやや下向きに傾斜した姿勢に保持される。
【００４０】
これにより、図２及び図３に示すように、上記嵌合部８が容器本体２の開口部に嵌合すると、一対の翼片２２は各々の先細りの先端から上記容器本体２内に収納された袋１の開封口１ｅ内に入り、案内片２２ａで開封口１ｅの縁を外側に押しやりつつ、少しばかり袋１内に入り込む。
【００４１】
一対の翼片２２は、押圧力を加えられることで、上記対向辺上のヒンジ２１を支点にして、下方向に回動可能である。ヒンジ２１は、この拡開部材３が樹脂の射出成型により一体成型される場合は、薄肉部で連結されたヒンジとして形成される。もちろん、ヒンジ２１は拡開部材３とは別体の部材によって形成することも可能である。
【００４２】
上述したように一対の翼片２２は、嵌合部８が容器本体２の開口部に嵌合したとき、図２に示すごとく容器本体２内の袋の半開き状態にある開封口１ｅ内に少しばかり侵入する。そして、操作者が指等で両翼片２２を下方に押圧すると、図１６に示すように、ヒンジ２１を支点にして下方に回動し、袋１の開封口１ｅの縁をその外側の容器本体２の左右両側壁２ｃ，２ｄへと押し広げる。これにより、袋１の開封口１ｅが整った形状に拡開される。
【００４３】
図１７（Ｂ）に示すように、袋１がガセット袋である場合は、その開封口１ｅには外向きノッチ部１ｃと内向きノッチ部１ｄとが生じる。上記翼片２２には、外向きノッチ部１ｃ内に入り込んで開封口１ｅを押し広げやすくするため、図１１乃至図１６に示すように、各外向きノッチ部１ｃに対応するように、下方に屈曲し、かつ互いに反対側の翼片２２方向に突出する凸部２２ｂが設けられる。
【００４４】
これにより、操作者が各翼片２２を下方に押圧する際、まず、凸部２２ｂが袋１の開封口１ｅの外向きノッチ部１ｃ内に侵入するので、袋１の開封口１ｅが開きやすくなる。
【００４５】
図１１、図１４及び図１６に示すように、上記一対の翼片２２が開封口１ｅから袋１内に押し下げられることにより開封口１ｅが整った形状に拡開された際、上記一対の翼片２２を定位置に固定するロック部が設けられる。具体的には、このロック部は、翼片２２と一体化され、ヒンジ２１を支点にした翼片２２の回動と共に回動する回動片１５と、拡開部材３側に固定され、翼片２２が下方に回動したときに回動片１５を拘束する固定片１６とにより構成される。
【００４６】
なお、ロック部としては、図示例の翼片に設けた回動片と拡開部材に設けた固定片とからなる構成に限られるものではなく、他の構成のものを採用することも可能である。
【００４７】
また、嵌合部８の他の一対の対向辺の内周側には、図１１〜図１３、図１５に示すように、庇片１７が各々設けられる。図２及び図３に示すように、上記嵌合部８が容器本体２の開口部に嵌合すると、一対の庇片１７が上記容器本体２内に収納された袋１の開封口１ｅの縁を上から覆う。
【００４８】
このように、袋１の開封口１ｅの全内周縁は、図３及び図１６に示すように、拡開部材３の翼片２２と庇片１７とで遮蔽されるので、袋１から内容物ａを取り出す際に内容物ａが容器本体２と袋１との間に落下するという不具合が防止される。
【００４９】
図１、図２、図１１、図１３及び図１４に示すように、拡開部材３における嵌合部８の内周側、すなわち嵌合部８とヒンジ２１との間の壁部には平坦部１３が形成され、この平坦部１３上にスプーン等計量具１８が略水平に置かれる。
【００５０】
また、図１１乃至図１５に示すように、拡開部材３の嵌合部８の内周側、すなわち庇片１７間には、拡開部材３の中央の開口を横断するように、摺り切り１９が必要に応じて架け渡される。上記計量具１８で掬った内容物ａを摺り切り１９により摺り切ることが可能である。
【００５１】
また、拡開部材３の周縁すなわち嵌合部には、外方向に突出する摘み片２０が設けられる。操作者は摘み片２０を持って拡開部材３を容器本体２等に対し簡易に着脱することできる。
【００５２】
次に、上記構成の詰替容器及び拡開部材の作用について説明する。
【００５３】
（１）粉ミルク等の内容物ａが収納された袋１は、当初図１７（Ａ）に示すような開封口１ｅが封緘部１ａで密封された状態にある。
【００５４】
この袋１の封緘部１ａが、切り取り予定線１ｂ上で切除されることにより、図１７（Ｂ）に示すように開封される。この開封された袋１が容器本体２内に挿入される。あるいは、未開封の袋１が容器本体２内に収納された後、その封緘部１ａが切除されることにより開封される。
【００５５】
（２）袋１の開封口１ｅは、当初多角形の半開状態にあり、四つの外向きノッチ部１ｃと二つの内向きノッチ部１ｄとが生じている。
【００５６】
操作者によって拡開部材３の嵌合部８が容器本体２の開口部に嵌め込まれると同時に翼片２２が図２のごとく容器本体２内の袋１の開封口１ｅ内に入り込み、開封口１ｅを半開き状態から更に押し開く。また、図３のごとく、庇片１７が袋１の開封口１ｅの縁を上方から覆う。
【００５７】
（３）続いて、操作者によって両翼片２２が下方に押圧されることにより、図１６に示すように、両翼片２２がヒンジ２１を支点にして下方に回動し、袋１の開封口１ｅをその外側の容器本体２の左右両側壁２ｃ，２ｄへと押し広げる。これにより、袋１の開封口１ｅが整った形状に拡開される。
【００５８】
（４）両翼片２２は、回動片１５が固定片１６と嵌り合うことにより、袋１内に入り込んだ状態にロックされ、袋１の開封口１ｅは整った長方形に固定され保持される。
【００５９】
（５）袋１から内容物ａを取り出すには、スプーン等の計量具１８を拡開部材３の開口３ａから袋１内に挿入して内容物ａを掬い、摺り切り１９で余剰の内容物ａを除去し、容器本体２外へと取り出す。
【００６０】
（６）袋１の開封口１ｅの全内周縁は、図２及び図３に示すように、拡開部材３の翼片２２と庇片１７によって遮蔽される。これにより、袋１から内容物ａを取り出す際に内容物ａが容器本体２と袋１との間に落下するという不具合が防止される。
【００６１】
（７）内容物ａの取り出し後、開閉蓋４を容器本体２の開口部側に倒して開閉蓋４の嵌合部９を拡開部材３の嵌合部８に嵌合させることで、開閉蓋４によって再び袋１内を密閉状態に保つことができる。
【００６２】
（８）袋１内の内容物ａが消費されると、開閉蓋４と拡開部材３を容器本体２から取り外し、空の袋１を容器本体２から抜き取り、新しい袋１を開封して上述したと同様な手順で容器本体２内に装着し、拡開部材３で袋１の開封口１ｅを拡開することで中味の内容物ａを取り出すことができる。
【００６３】
なお、本発明は上記実施の形態に限定されるものではなく、本発明の要旨の範囲内で種々変更可能である。例えば、実施の形態では内容物は粉ミルクであるが、そのような粉末状のほか、顆粒状、粒状、ブロック状、ペースト状等各種の形態の食品とすることができる。その他、内容物は、錠剤であってもよいし、個々のピースが個包装されたピース状のものであってもよい。また、内容物が入れられた袋と、この袋が挿入される容器本体と、容器本体の開口部に嵌め込まれる際に袋の開封口を拡開する拡開部材と、容器本体の開口部を開閉する開閉蓋とが組み合わされた詰替容器セットとして構成することも本発明の範囲内である。
【符号の説明】
【００６４】
１…袋
１ｅ…開封口
２…容器本体
３…拡開部材
４…開閉蓋
８，９…嵌合部
１３…平坦部
１８…計量具
１９…摺り切り
２１…ヒンジ
２２…翼片
ａ…内容物
【図１】
0005411189.tif 000002
【図２】
0005411189.tif 000003
【図３】
0005411189.tif 000004
【図４】
0005411189.tif 000005
【図５】
0005411189.tif 000006
【図６】
0005411189.tif 000007
【図７】
0005411189.tif 000008
【図８】
0005411189.tif 000009
【図９】
0005411189.tif 000010
【図１０】
0005411189.tif 000011
【図１１】
0005411189.tif 000012
【図１２】
0005411189.tif 000013
【図１３】
0005411189.tif 000014
【図１４】
0005411189.tif 000015
【図１５】
0005411189.tif 000016
【図１６】
0005411189.tif 000017
【図１７】
0005411189.tif 000018